(57)【特許請求の範囲】
【請求項１】
建物の出隅部に柱を立設し、該柱の外側二側辺には夫々外装材の端縁部が固定され、該外装材の端縁間には該外装材と同質の出隅材を介在させた構造であって、該出隅材の一側辺または二側辺の端縁部に段部を形成し、該段部よりも角側の側辺部分を該外装材の表面レベルよりも外方に突出させて、該出隅材内側に雨樋を挿通する空間を形成したことを特徴とする建物出隅部構造
【請求項２】
該出隅材の一側辺または二側辺の端縁部に段部を形成し、該段部よりも角側の側辺部分を外方に突出させて該出隅材内側に雨樋を挿通する空間を形成し、更に該出隅材の側辺突出側においては該胴縁の厚みを増大せしめることによって該外装材表面レベルを該出隅材側辺レベルと略一致させた請求項１に記載の建物出隅部構造
【請求項３】
建物の出隅部に柱を立設し、該柱の外側二側辺には夫々外装材の端縁部が固定され、該外装材の端縁間には該外装材と同質の出隅材を介在させた構造であって、該外装材の端縁部は胴縁を介して該柱の外側二側辺に固定され、該胴縁の厚みを増大させることによって該外装材の端縁間に介在する出隅材の内側に雨樋を挿通する空間を形成したことを特徴とする建物出隅部構造
【発明の詳細な説明】
【０００１】
【発明の属する技術分野】
本発明は建物の出隅部の構造に関するものである。
【０００２】
【従来の技術】
従来、建物の出隅部においては、図６に示すように柱(1) の外側二側辺に夫々外装材(2,2)の端縁部を胴縁(4) を介して釘等で固定し、該一対の外装材(2,2) 間には該外装材(2,2) と同質の横断面Ｌ形出隅材(3) を介在せしめた構造が提供されている。
【０００３】
【発明が解決しようとする課題】
上記構造においては雨樋(5) は建物の外側に取付けなければならないので、建物の外観が損なわれると言う問題点があった。
【０００４】
【課題を解決するための手段】
本発明は上記従来の課題を解決するための手段として、建物の出隅部に柱(1) を立設し、該柱(1) の外側二側辺には夫々外装材(2,2) の端縁部が固定され、該外装材(2,2) の端縁間には該外装材(2,2) と同質の出隅材(3) を介在させた構造であって、該出隅材(3) の一側辺または二側辺(3A,3B) の端縁部に段部(3C,3D) を形成し、該段部(3C,3D) よりも角側の側辺部分を該外装材(2,2) の表面レベルＬよりも外方に突出させて、該出隅材(3) 内側に雨樋(5) を挿通する空間(6) を形成した建物出隅部構造を提供するものであり、更に該出隅材(3) の一側辺または二側辺(3A,3B) の端縁部に段部(3C,3D) を形成し、該段部(3C,3D) よりも角側の側辺部分を外方に突出させて該出隅材(3) 内側に雨樋(5) を挿通する空間(16)を形成し、更に該出隅材(3) の側辺(3A,3B) 突出側においては該胴縁(14)の厚みを増大せしめることによって該外装材(2,2) 表面レベルＬを該出隅材(3) 側辺(3A,3B) レベルと略一致させた建物出隅部構造、また更に建物の出隅部に柱(1) を立設し、該柱(1) の外側二側辺には夫々外装材(2,2) の端縁部が固定され、該外装材(2,2) の端縁間には該外装材(2,2) と同質の出隅材(3) を介在させた構造であって、該外装材(2,2) の端縁部は胴縁(24)を介して該柱(1) の外側二側辺に固定され、該胴縁(24)の厚みを増大させることによって該外装材(2,2) の端縁間に介在する出隅材(3)の内側に雨樋(5) を挿通する空間(26)を形成した建物出隅部構造を提供するものである。
【０００５】
【発明の実施の形態】
本発明の一具体例を図１〜図３に示す。図において、建物の出隅部に柱(1) が立設され、該柱(1) の外側二側辺に夫々外装材(2,2) の端縁部が胴縁(4) を介して釘(7) 等で固定されている。該外装材(2,2) は例えば繊維補強セメント板等からなり、表面にはブロック目地状エンボス模様が付されている。
【０００６】
該外装材(2,2) の端縁間には出隅材(3) が介在せしめられ、該出隅材(3) も胴縁(4) を介して釘(7) 等で柱(1) の外側二側辺に固定されている。該出隅材(3) は該外装材(2,2) と同質の材料からなり、表面には該外装材(2,2) と同様なブロック目地状エンボス模様が付されているから、該外装材(2,2) と該出隅材(3) とは一体感を有する。該出隅材(3) は直交する二側辺(3A,3B) からなる横断面Ｌ形のものであり、各側辺(3A,3B) の外端縁部には内側方向に段部(3C,3D) が形成されており、したがって該出隅材(3) の二側辺(3A,3B) の該段部(3C,3D) よりも角側の部分は、該外装材(2,2)の表面レベルＬよりも外方に突出した状態となっている。
【０００７】
このように該出隅材(3)の二側辺(3A,3B) の該段部(3C,3D) よりも角側の部分を、該外装材(2,2) の表面レベルＬよりも外方に突出させることによって該出隅材(3) の内側には雨樋(5) を挿通する空間(6) が形成され、該雨樋(5) は支環(8) を介して釘(7) によって柱(1) に固定される。
【０００８】
本具体例では該外装材(2)や該出隅材(3) は直接釘(7) によって胴縁(4) に固定されていたが、該外装材(2)や該出隅材(3) は図３に示すように留金具(9) を使用して胴縁(4) に固定されてもよい。このような固定方式によれば、釘(7) 頭部が外装材(2) や出隅材(3) の表面に露出せず外観的に好ましい。
【０００９】
図４には本発明の他の具体例が示される。本具体例では出隅材(13)の一側辺(13B) の外端縁部にのみ段部(13D)が形成されており、したがって該側辺(13B) の該段部(13D) よりも角側の部分のみが外装材(2) の表面レベルＬよりも外方に突出した状態となっている。本具体例の場合には該出隅材(13)の段部が形成されていない側辺(13A) 側には胴縁(4) を二段重ねにして該側辺(13A) 内側空間(16)を確保している。
【００１０】
図５には更に本発明の他の具体例が示される。本具体例では図１〜図３に示す具体例において、柱(1) の外側二側辺に固定されている胴縁(14)の厚みを増大させることによって、外装材(2,2) の表面レベルＬを出隅材(3) の二側辺(3A,3B) の表面レベルと略一致させる。そして該胴縁(14)の外側面から出隅材(3)側へバックアップ材(10)を差出し、該バックアップ材(10)によって該外装材(2,2) と該出隅材(3) との間隙を充填しているコーキング材(11)をバックアップせしめている。
【００１１】
本具体例以外、図４に示す具体例において出隅材(13)の側辺(13B) 側の胴縁(4) の厚みを増大させ、外装材(2)の表面レベルＬを出隅材(13)の側辺(13B) の表面レベルと略一致させてもよい。
【００１２】
【発明の効果】
本発明では雨樋は建物出隅部内側に挿通されるので外部に露出せず、建物外観が該雨樋等によって損なわれなくなる。そして出隅材は外装材と同質であり一体感を有する。
【図面の簡単な説明】
図１〜図３は本発明の一具体例を示すものである。
【図１】  建物出隅部の切欠き斜視図
【図２】  建物出隅部横断面図
【図３】  外装材固定手段の他の具体例を示す縦断面図
【図４】  他の具体例の建物出隅部横断面図
【図５】  更に他の具体例の建物出隅部横断面図
【図６】  従来例の建物出隅部の切欠き斜視図
【符号の説明】
1           柱
2           外装材
3,13        出隅材
3A,3B,13A,13B   側辺
3C,3D,13D   段部
4,14        胴縁
5           雨樋
6,16        空間
Ｌ          表面レベル
【図１】
0003942246.tif 000002
【図２】
0003942246.tif 000003
【図３】
0003942246.tif 000004
【図４】
0003942246.tif 000005
【図５】
0003942246.tif 000006
【図６】
0003942246.tif 000007